(57)【特許請求の範囲】
【請求項１】
収容空間を有し、前記収容空間には、電源ユニットと、前記電源ユニットと電気的に連接し正逆回転可能な直流モータと、が設けられ、前記直流モータは、回転子と、シャフトと、を含み、前記回転子は、前記シャフトを巡り可能であり、少なくとも一つの錘を有し、前記回転子の重心が前記シャフトの軸心から逸れる本体と、
一端が前記シャフトと直接または間接に連接し、他端にブラシヘッドが設けられるブラシロッドと、
液体貯蔵チェンバーと開口を有し、前記開口が前記液体貯蔵チェンバーと連通し、前記ブラシロッドが前記開口から前記液体貯蔵チェンバーに挿入するビンと、を備え、
前記ブラシロッドに密封ブッシュが設けられ、前記本体と前記ビンを結合する場合には、前記密封ブッシュにより前記開口が封止され前記液体貯蔵チェンバーが密封状態になり、
前記ブラシロッドには、ウエスト段が形成され、前記密封ブッシュは、結合段と、嵌合段と、を有し、前記結合段は前記ウエスト段に対応する穴径を有し、前記嵌合段の外径が前記結合段の穴径よりも大きく、前記結合段が前記ウエスト段に嵌め設けられることを特徴とする、電動睫毛ブラシ。
【請求項２】
前記シャフトと前記ブラシロッドの間には、更に、減速機構が設けられ、前記減速機構と前記ブラシロッドの間には、更に、連結具が設けられることを特徴とする、請求項１に記載の電動睫毛ブラシ。
【請求項３】
前記電源ユニットと前記直流モータの間には、更に、切替スイッチが設けられ、前記切替スイッチにより、電流の流れ方向を制御して前記直流モータの正逆回転を切替えることができることを特徴とする、請求項１に記載の電動睫毛ブラシ。
【請求項４】
更に、内ねじ付きブッシュを含み、前記内ねじ付きブッシュは、前記本体の前端に設けられ、内ねじを有し、
前記開口の外面に外ねじが設けられ、前記外ねじが前記内ねじ付きブッシュの内ねじと螺合し、前記開口の内面に樹脂ブッシュが設けられ、前記ブラシロッドが前記樹脂ブッシュから前記液体貯蔵チェンバーに挿入し、前記本体と前記ビンを結合する場合には、前記密封ブッシュの前縁が前記樹脂ブッシュに密着されることを特徴とする、請求項１に記載の電動睫毛ブラシ。
【請求項５】
前記電動睫毛ブラシは、更に、回転ブッシュを含み、前記回転ブッシュが前記本体の周面に回動可能に嵌め設けられ、前記回転ブッシュの内面に二つの規制ブロックが設けられ、前記本体の側面に横方向レールが設けられ、前記横方向レールに前記切替スイッチが摺動可能に設けられ、前記切替スイッチは前記二つの規制ブロックの間に設けられ、前記回転ブッシュを回転するときには、前記二つの規制ブロックが前記切替スイッチを駆動し前記切替スイッチが前記横方向レールに沿って摺動し、これにより、前記切替スイッチが電流の流れ方向を制御して前記直流モータの正逆回転を切替えることができることを特徴とする、請求項３に記載の電動睫毛ブラシ。
【請求項６】
前記電動睫毛ブラシは、前記回転子は三つのコイルユニットを含み、何れかの二つのコイルユニットは、開角が１２０度であり、その間に隙間が設けられ、少なくとも一つの前記錘がこれらの一つまたは二つの前記隙間に設けられることを特徴とする、請求項１に記載の電動睫毛ブラシ。
【請求項７】
前記ブラシヘッドには、更に、小径段が設けられ、前記小径段は前記ウエスト段と前記ブラシヘッドの間に位置することを特徴とする、請求項４に記載の電動睫毛ブラシ。
【請求項８】
前記電源ユニットと前記直流モータの間には、更に、自動電気遮断集積回路が設けられることを特徴とする、請求項１から請求項７のうちの何れか１項に記載の電動睫毛ブラシ。
【発明の詳細な説明】
【技術分野】
【０００１】
本発明は、電動睫毛ブラシに係り、特に、振動することができ、そして正逆回転可能な電動睫毛ブラシに関するものである。
【背景技術】
【０００２】
一部の従来の電動睫毛ブラシには、振動モータが設けられるので、電動睫毛ブラシが振動可能であり、前記振動モータは、そのシャフトに偏心ブロックが設けられるので、回転時のシャフトに設けられた偏心ブロックによる遠心力により、電動睫毛ブラシを振動することができる。
【０００３】
一方、従来の電動睫毛ブラシのブラシロッドは、化粧液が充填されるビンに挿入され、化粧液は、ビンの開口から漏れ出して、ビンの開口に設けられた螺旋、又は前記ブラシロッドと前記本体の間に凝固するという問題があった。
【先行技術文献】
【特許文献】
【０００４】
【特許文献１】なし
【発明の概要】
【発明が解決しようとする課題】
【０００５】
本発明の主な目的は、振動することができ、そして正逆回転することができ、充填される化粧液がビンの開口から漏れ出すことがない電動睫毛ブラシを提供することにある。
【課題を解決するための手段】
【０００６】
本発明の電動睫毛ブラシによると、収容空間を有し、前記収容空間には、電源ユニットと、前記電源ユニットと電気的に連接し正逆回転可能な直流モータと、が設けられ、前記直流モータは、回転子と、シャフトと、を含み、前記回転子は、前記シャフトを巡り可能であり、少なくとも一つの錘を有し、前記回転子の重心が前記シャフトの軸心から逸れる本体と、一端が前記シャフトと直接または間接に連接し、他端にブラシヘッドが設けられるブラシロッドと、液体貯蔵チェンバーと開口を有し、前記開口が前記液体貯蔵チェンバーと連通し、前記ブラシロッドが前記開口から前記液体貯蔵チェンバーに挿入するビンと、を備え、前記ブラシロッドに密封ブッシュが設けられ、前記本体と前記ビンを結合する場合には、前記密封ブッシュにより前記開口が封止され前記液体貯蔵チェンバーが密封状態になり、前記ブラシロッドには、ウエスト段が形成され、前記密封ブッシュは、結合段と、嵌合段と、を有し、前記結合段は前記ウエスト段に対応する穴径を有し、前記嵌合段の外径が前記結合段の穴径よりも大きく、前記結合段が前記ウエスト段に嵌め設けられることを特徴とする。
【０００７】
本発明の電動睫毛ブラシによると、前記シャフトと前記ブラシロッドの間には、更に、減速機構が設けられ、前記減速機構と前記ブラシロッドの間には、更に、連結具が設けられることを特徴とする。
【０００８】
本発明の電動睫毛ブラシによると、前記電源ユニットと前記直流モータの間には、更に、切替スイッチが設けられ、前記切替スイッチにより、電流の流れ方向を制御して前記直流モータの正逆回転を切替えることができることを特徴とする。
【０００９】
本発明の電動睫毛ブラシによると、更に、内ねじ付きブッシュを含み、前記内ねじ付きブッシュは、前記本体の前端に設けられ、内ねじを有し、前記開口の外面に外ねじが設けられ、前記外ねじが前記内ねじ付きブッシュの内ねじと螺合し、前記開口の内面に樹脂ブッシュが設けられ、前記ブラシロッドが前記樹脂ブッシュから前記液体貯蔵チェンバーに挿入し、前記本体と前記ビンを結合する場合には、前記密封ブッシュの前縁が前記樹脂ブッシュに密着されることを特徴とする。
【００１０】
本発明の電動睫毛ブラシによると、更に、回転ブッシュを含み、前記回転ブッシュが前記本体の周面に回動可能に嵌め設けられ、前記回転ブッシュの内面に二つの規制ブロックが設けられ、前記本体の側面に横方向レールが設けられ、前記横方向レールに前記切替スイッチが摺動可能に設けられ、前記切替スイッチは前記二つの規制ブロックの間に設けられ、前記回転ブッシュを回転するときには、前記二つの規制ブロックが前記切替スイッチを駆動し前記切替スイッチが前記横方向レールに沿って摺動し、これにより、前記切替スイッチが電流の流れ方向を制御して前記直流モータの正逆回転を切替えることができることを特徴とする。
【００１１】
本発明の電動睫毛ブラシによると、前記回転子は三つのコイルユニットを含み、何れかの二つのコイルユニットは、開角が１２０度であり、その間に隙間が設けられ、少なくとも一つの前記錘がこれらの一つまたは二つの前記隙間に設けられることを特徴とする。
【００１２】
本発明の電動睫毛ブラシによると、前記ブラシヘッドには、更に、小径段が設けられ、前記小径段は前記ウエスト段と前記ブラシヘッドの間に位置することを特徴とする。
【００１３】
本発明の電動睫毛ブラシによると、前記電源ユニットと前記直流モータの間には、更に、自動電気遮断集積回路が設けられることを特徴とする。
【発明の効果】
【００１４】
本発明の電動睫毛ブラシによれば、振動することができ、そして正逆回転することができ、充填される化粧液がビンの開口から漏れ出すことがないという効果を有する。
【図面の簡単な説明】
【００１５】
【図１】本発明の一実施形態の電動睫毛ブラシの分解斜視図である。
【図２】本発明の一実施形態の電動睫毛ブラシの組合状態の透視図である。
【図３Ａ】本発明の一実施形態の電動睫毛ブラシの組合状態の断面図である。
【図３Ｂ】本発明に係る本体の断面図である。
【図３Ｃ】本発明に係る直流モータの断面図である。
【発明を実施するための形態】
【００１６】
以下、本発明の実施の形態を図面に基づいて説明する。
【００１７】
まず、図１から図３を参照する。本発明の一実施形態の電動睫毛ブラシは、本体１と、ブラシロッド２と、ビン３と、内ねじ付きブッシュ４と、回転ブッシュ５と、を含み、更に、前記本体１と前記内ねじ付きブッシュ４との外面に嵌め設けられる握りブッシュ８を含む。
【００１８】
前記本体１は、収容空間１１を有し、前記収容空間１１には、電源ユニット１４と、前記電源ユニット１４と電気的に連接し正逆回転可能な直流モータ１２と、が設けられる。前記電源ユニット１４と前記直流モータ１２の間には、切替スイッチ１３が設けられることが好ましい。前記切替スイッチ１３により、電流の流れ方向を制御して前記直流モータ１２の正逆回転を切替えることができる。前記切替スイッチ１３は少なくとも三つの切替位置を有することが好ましい。前記三つの切替位置は、オフ位置と正回転位置と逆回転位置である。  前記直流モータ１２は、回転子１２１と、シャフト１２２と、を含み、その他に、固定子と、電気ブラシと、整流器などの部材を含む。前記回転子１２１は、前記シャフト１２２を巡り可能であり、少なくとも一つの錘１２３を有し、前記回転子１２１の重心が前記シャフト１２２の軸心から逸れる。図３Ｃを参照する。本実施形態では、前記回転子１２１は、三つのコイルユニット１２４を含み、何れかの二つのコイルユニット１２４は、開角が１２０度であり、その間に隙間１２５が設けられ、二つの前記錘１２３が前記隙間のうちの二つに設けられ、そうすると、前記回転子１２１の重心が前記シャフト１２２の軸心から逸れる。一方、前記本体１は、上部１０１と、前記上部１０１に枢着される下部１０２と、を含み、前記収容空間１１が前記上部１０１と前記下部１０２の間に形成される。ユーザが電池を交換したいときには、前記回転ブッシュ５を引出して前記上部１０１と前記下部１０２を開けるだけで、電池を交換することができる。また、環状凸縁は、図３Ａに示すように、ビン３の軸方向に沿って前記本体１の前端から前記ビン３に伸びてもいいし、図１に示すように、前記内ねじ付きブッシュ４の内部から前記ビン３に伸びてもよい。
【００１９】
前記ブラシロッド２は、第１端２１と、第２端２２と、を有する。前記第１端２１が前記シャフト１２２と直接または間接に連接し、前記シャフト１２２が回転すると前記ブラシロッド２も回転する。前記第２端２２には、ブラシヘッド２３が設けられる。前記シャフト１２２と前記ブラシロッド２の間には、更に、減速機構６が設けられ、前記減速機構６により前記シャフト１２２と前記ブラシロッド２の回転数比を変更することができ、前記減速機構６と前記ブラシロッド２の間には、更に、連結具７が設けられる。本実施形態では、前記連結具７が前記ブラシロッド２と一体成形されるが、それらを別体にしてもよい。前記減速機構６には、幾何形状断面シャフト６１が設けられ、前記連結具７の末端（又は前記ブラシロッド２の末端）には、幾何形状穴７１が設けられ、前記幾何形状断面シャフト６１が前記幾何形状穴７１に挿入され、そうすると、前記幾何形状断面シャフト６１は前記ブラシロッド２と同期に回転することができる。前記ブラシロッド２に密封ブッシュ２４が設けられ、前記本体１と前記ビン３を結合する場合には、前記密封ブッシュ２４により前記ビン３の開口３２が封止され前記液体貯蔵チェンバー３１が密封状態になる。更に、前記ブラシロッド２には、ウエスト段２５が形成され、前記密封ブッシュ２４は、結合段２４１と、嵌合段２４２と、を有し、前記結合段２４１は前記ウエスト段２５に対応する穴径を有し、前記嵌合段２４２の外径が前記結合段２４１の穴径よりも大きく、前記結合段２４１が前記ウエスト段２５に嵌め設けられ、そうすると、前記密封ブッシュ２４は前記ブラシロッド２に対して摺動することができない。一方、前記ブラシヘッド２には、更に、小径段２６が設けられ、前記小径段２６は前記ウエスト段２５と前記ブラシヘッド２３の間に位置する。
【００２０】
前記ビン３は、液体貯蔵チェンバー３１と、前記ビン３の一端に設けられる開口３２を有し、前記開口３２が前記液体貯蔵チェンバー３１と連通し、前記ブラシロッド２が前記開口３２から前記液体貯蔵チェンバー３１に挿入する。具体的には、前記開口３２の内面に樹脂ブッシュ３３が設けられ、前記ブラシロッド２が前記樹脂ブッシュ３３から前記液体貯蔵チェンバー３１に挿入する。前記本体１と前記ビン３を結合する場合には、前記密封ブッシュ２４の前縁が前記樹脂ブッシュ３３に密着される。前記密封ブッシュ２４と前記樹脂ブッシュ３３とは、弾性を有する素材で作製されたものであり、前記密封ブッシュ２４の硬さが前記樹脂ブッシュ３３の硬さよりも硬いことが好ましい。そうすると、密封効果が更に向上する。前記樹脂ブッシュ３３は、前記ブラシロッド２の外径に対応する穴径を有し、これにより、前記ブラシロッド２に付着される化粧液を除去することができる。なお、前記小径段２６により、ブラシロッドを前記液体貯蔵チェンバー３１から引出しているときに、空気が前記小径段２６を経由して前記液体貯蔵チェンバー３１に進入する。これにより、前記ブラシロッドは前記液体貯蔵チェンバー３１から容易に引出すことができる。
【００２１】
本発明の一実施形態の電動睫毛ブラシは、更に、内ねじ付きブッシュ４を含み、前記内ねじ付きブッシュ４は、前記本体１の前端に設けられ、内ねじを有する。前記開口３２の外面に外ねじが設けられ、前記外ねじが前記内ねじ付きブッシュ４の内ねじと螺合する。具体的には、前記内ねじ付きブッシュ４は、大径な溝４１と、小径な貫通孔４２と、を有し、前記貫通孔４２は、前記内ねじ付きブッシュ４の前記ビン３から遠ざかった内面４３に設けられ、前記溝４１と連通し、前記内ねじ付きブッシュ４は環状凸縁４４を有し、前記環状凸縁４４は、前記貫通孔４２を取り囲み、前記内面４３の内側から前記ビンへ伸び、且つ前記密封ブッシュ２４の前記嵌合段２４２は前記環状凸縁４４に嵌め設けられ、そうすると、化粧液の前記本体１の前記収容空間１１に侵入する可能性が更に減少する。
【００２２】
本発明の一実施形態の電動睫毛ブラシは、更に、回転ブッシュ５を含み、前記回転ブッシュ５が前記本体１の周面に回動可能に嵌め設けられ、前記回転ブッシュ５の内面に二つの規制ブロック５１が設けられ、前記本体１の側面に横方向レール１５が設けられ、前記横方向レール１５に前記切替スイッチ１３が摺動可能に設けられ、前記切替スイッチ１３は、図３Ｂに示すように、前記二つの規制ブロック５１の間に設けられ、前記回転ブッシュ５を回転するときには、前記二つの規制ブロック５１が前記切替スイッチ１３を駆動し前記切替スイッチ１３が前記横方向レール１５に沿って摺動し、これにより、前記切替スイッチ１３が電流の流れ方向を制御して前記直流モータ１２の正逆回転を切替えることができる。前記回転ブッシュ５の内面には、円形な窪みが若干設けられ、前記本体１の外面には、一つの突起（図示せず）が設けられ、前記突起は何れかの前記窪みと嵌合することができ、前記突起が前記窪みのうちの一つと嵌合するときに、前記切替スイッチ１３は、オフ位置、正回転位置、又は逆回転位置に位置する。前記回転ブッシュ５と前記本体１の間には、両者を連結する連結手段を追加してもよい。
【００２３】
一方、前記電源ユニット１４と前記直流モータ１２の間には、更に、自動電気遮断集積回路が設けられる。前記自動電気遮断集積回路は、直流モータ１２が正常に稼動しているかどうかを測定するためのものであり、特に、前記ビン３と前記本体１を結合するときには、前記密封ブッシュ２４と前記樹脂ブッシュ３３が緊密に接触するので、その摩擦力により前記ブラシロッド２が回転不能になり、このとき、前記自動電気遮断集積回路により、前記直流モータ１２が空回転していることが測定されて、前記電源ユニット１４と前記直流モータ１２の電気回路が遮断され、前記直流モータ１２の空回転による損壊を防止することができる。
【００２４】
このように、本発明が、特定の例を参照して説明されたが、それらの例は、説明のためだけのものであり、本発明を限定するものではなく、この分野に通常の知識を有する者には、本発明の精神および範囲を逸脱することなく、ここで開示された実施例に変更、追加、または、削除を施してもよいことがわかる。
【産業上の利用可能性】
【００２５】
本発明は、電動睫毛ブラシに適用することができる。
【符号の説明】
【００２６】
１        本体
２        ブラシロッド
３        ビン
４        内ねじ付きブッシュ
５        回転ブッシュ
６        減速機構
７        連結具
８        握りブッシュ
１１      収容空間
１２      直流モータ
１３      切替スイッチ
１４      電源ユニット
１５      レール
２１      第１端
２２      第２端
２３      ブラシヘッド
２４      密封ブッシュ
２５      ウエスト段
２６      小径段
３１      液体貯蔵チェンバー
３２      開口
３３      樹脂ブッシュ
４１      溝
４２      貫通孔
４３      内面
４４      環状凸縁
５１      規制ブロック
６１      幾何形状断面シャフト
７１      幾何形状穴
１０１    上部
１０２    下部
１２１    回転子
１２２    シャフト
１２３    錘
１２４    コイルユニット
１２５    隙間
２４１    結合段
２４２    嵌合段
【図１】
0005553274.tif 000002
【図２】
0005553274.tif 000003
【図３Ａ】
0005553274.tif 000004
【図３Ｂ】
0005553274.tif 000005
【図３Ｃ】
0005553274.tif 000006